(57)【要約】【課題】気圧センサの検出結果を用いた処理を改善すること。【解決手段】１つの態様において、携帯機器は、気圧の値を測定する気圧センサと、タッチスクリーンと、気圧の値が条件を満足すると、自機が水に浸かったと推定するコントローラとを備え、コントローラは、タッチスクリーンの検出結果に基づいて、水に浸かっていた自機が水から出たかを推定する。携帯機器は、自機が水から出たかを推定する場合にのみ、タッチスクリーンを利用するので、消費電力を抑えつつ、自機の着水の有無、及び自機の離水の有無を判定できる。【選択図】図１
2016213763.tif 000002
【特許請求の範囲】
【請求項１】
気圧の値を測定する気圧センサと、
タッチスクリーンと、
前記気圧の値が条件を満足すると、自機が水に浸かったと推定するコントローラとを備え、
前記コントローラは、前記タッチスクリーンの検出結果に基づいて、水に浸かっていた自機が水から出たかを推定する携帯機器。
【請求項２】
前記コントローラは、前記タッチスクリーンの検出結果に基づいて、水に浸かっていた自機が水から出たかを周期的に推定する請求項１に記載の携帯機器。
【請求項３】
前記コントローラは、
前記タッチスクリーンの検出結果に基づいて、水に浸かっていた自機が水から出たかを推定した後に、
前記タッチスクリーンの検出結果に基づいて、水に浸かったかを推定する請求項１または２に記載の携帯機器。
【請求項４】
前記コントローラは、前記タッチスクリーンの各検出点における出力値に基づいて、水に浸かっていた自機が水から出たかを推定する請求項１から３のいずれか１つに記載の携帯機器。
【請求項５】
筐体をさらに備え、
前記気圧センサは、前記筐体の内部に位置し、
前記筐体は、
前記気圧センサが位置する前記筐体の内部の空間から前記筐体の外部に通じる穴部と、
前記穴部と前記筐体の外部との境界に設けられる通気弁と
を有し、
前記通気弁は、水を保つ保水機能を有する請求項１から４のいずれか１つに記載の携帯機器。
【請求項６】
前記通気弁は布製の部材を有し、
前記通気弁は前記布製の部材により前記保水機能を有する請求項５に記載の携帯機器。
【請求項７】
気圧センサとタッチスクリーンとを備える携帯機器により実行される制御方法であって、
前記気圧センサにより測定される気圧の値が条件を満足すると、自機が水に浸かったと推定するステップと、
前記タッチスクリーンの検出結果に基づいて、水に浸かっていた自機が水から出たかを推定するステップと
を含む制御方法。
【請求項８】
気圧センサとタッチスクリーンとを備える携帯機器に、
前記気圧センサにより測定される気圧の値が条件を満足すると、自機が水に浸かったと推定するステップと、
前記タッチスクリーンの検出結果に基づいて、水に浸かっていた自機が水から出たかを推定するステップと
を実行させる制御プログラム。
【発明の詳細な説明】
【技術分野】
【０００１】
本出願は、携帯機器、制御方法及び制御プログラムに関する。
【背景技術】
【０００２】
従来、気圧センサを搭載する機器がある。当該機器では、気圧センサを気圧の検出に用いている。
【先行技術文献】
【特許文献】
【０００３】
【特許文献１】特開２００５−２３０３４０号公報
【発明の概要】
【発明が解決しようとする課題】
【０００４】
従来の機器は、気圧センサを気圧の検出に用いた処理に改善の余地がある。
【課題を解決するための手段】
【０００５】
１つの態様に係る携帯機器は、気圧の値を測定する気圧センサと、タッチスクリーンと、前記気圧の値が条件を満足すると、自機が水に浸かったと推定するコントローラとを備え、前記コントローラは、前記タッチスクリーンの検出結果に基づいて、水に浸かっていた自機が水から出たかを推定する。
【０００６】
１つの態様に係る制御方法は、気圧センサとタッチスクリーンとを備える携帯機器により実行される制御方法であって、前記気圧センサにより測定される気圧の値が条件を満足すると、自機が水に浸かったと推定するステップと、前記タッチスクリーンの検出結果に基づいて、水に浸かっていた自機が水から出たかを推定するステップとを含む。
【０００７】
１つの態様に係る制御プログラムは、気圧センサとタッチスクリーンとを備える携帯機器に、前記気圧センサにより測定される気圧の値が条件を満足すると、自機が水に浸かったと推定するステップと、前記タッチスクリーンの検出結果に基づいて、水に浸かっていた自機が水から出たかを推定するステップとを実行させる。
【図面の簡単な説明】
【０００８】
【図１】図１は、１つの実施形態に係るスマートフォンの機能構成を示すブロック図である。
【図２】図２は、気圧センサにより測定される気圧変化の例を示す図である。
【図３】図３は、タッチスクリーンにより測定される静電容量の例を示す図である。
【図４】図４は、タッチスクリーンにより測定される静電容量の他の例を示す図である。
【図５】図５は、タッチスクリーンにより測定される静電容量の他の例を示す図である。
【図６】図６は、１つの実施形態に係るスマートフォンの処理の流れを示すフローチャートである。
【図７】図７は、スマートフォンの部分断面の概略図である。
【図８】図８は、スマートフォンの部分断面の概略図である。
【図９】図９は、気圧センサにより測定される気圧変化の他の例を示す図である。
【図１０】図１０は、１つの実施形態に係るスマートフォンの処理の流れを示すフローチャートである。
【発明を実施するための形態】
【０００９】
本出願に係る携帯機器、制御方法及び制御プログラムを実施するための複数の実施形態を、図面を参照しつつ詳細に説明する。以下では、本出願に係る携帯機器の一例として、スマートフォンを取り上げて説明する。
【００１０】
図１を参照しつつ、複数の実施形態の一例に係るスマートフォン１の機能構成の一例を説明する。図１は、スマートフォン１の機能構成を示すブロック図である。以下の説明において、同様の構成要素について同一の符号を付すことがある。さらに、重複する説明は省略することがある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、気圧センサ１７とを備える。以下の説明において、「自機」と表記するものはスマートフォン１に対応する。以下の説明において、自機が水に浸かったことを「着水」と表記する場合がある。以下の説明において、自機が水から出たことを「離水」と表記する場合がある。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。タッチスクリーンディスプレイ２は、表示部の一例である。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを画面内に表示する。ディスプレイ２Ａが表示する文字、画像、記号、及び図形等のオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。ディスプレイ２Ａは、表示部の一例である。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。タッチスクリーン２Ｂが検出する複数の指、ペン、及びスタイラスペン等は、「指」と表記する場合がある。タッチスクリーン２Ｂが検出した指が接触又は近接した位置を「検出位置」と表記する場合がある。タッチスクリーン２Ｂは、タッチスクリーン２Ｂに対する指の接触を、検出位置とともにコントローラ１０に通知する。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。ある実施形態において、タッチスクリーン２Ｂは、水に浸かっていた自機が水から出たかを推定するための情報を測定する。タッチスクリーン２Ｂは、検出方式として静電容量方式を採用する場合、水に浸かっていた自機が水から出たかを推定するための情報として静電容量の変化を測定する。タッチスクリーン２Ｂは、当該タッチスクリーン２Ｂに格子状に張り巡らされた複数のセンサ電極のそれぞれに対して所定の信号を印加し、各センサ電極からの出力値を読み取ることを繰り返す。これにより、タッチスクリーン２Ｂは、当該タッチスクリーン２Ｂ上の検出点における静電容量の変化を測定できる。センサ電極は、検出点の一例である。他の検出方式として抵抗膜方式又は荷重検出方式を採用する場合、タッチスクリーン２Ｂは、自機が水中にあるかを判定するための情報として、例えば、電圧の大きさの変化を検出してもよい。他の検出方式として表面弾性波方式を採用する場合、タッチスクリーン２Ｂは、自機が水中にあるかを判定するための情報として、例えば、自機が発信する表面弾性波の減衰を検出してもよい。他の検出方式として赤外線方式を採用する場合、タッチスクリーン２Ｂは、自機が水中にあるかを判定するための情報として、例えば、自機が発信する赤外線光の減衰を検出してもよい。
【００１５】
ある実施形態では、タッチスクリーン２Ｂの検出方式として静電容量方式を採用する例を説明する。静電容量方式のタッチスクリーン２Ｂは、静電容量の変化を測定することで、自機が離水したかを判定することができる。しかしながら、自機が離水したかを判定するための情報を測定可能であれば、静電容量方式のみに限らず、抵抗膜方式、荷重検出方式、表面弾性波方式、及び赤外線方式等の任意の方式を採用してよい。
【００１６】
コントローラ１０は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
ボタン３は、利用者からの操作入力を受け付ける。ボタン３の数は、単数であっても、複数であってもよい。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２０】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００２１】
レシーバ７は、音出力部の一例である。レシーバ７は、コントローラ１０から送信される音信号を音として出力する。レシーバ７は、例えば、スマートフォン１にて再生される動画の音、音楽の音、及び通話時の相手の声を出力することができる。マイク８は、音入力部の一例である。マイク８は、利用者の声等を音信号へ変換してコントローラ１０へ送信する。
【００２２】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する制御プログラム（図示略）とが含まれる。アプリケーションの画面は、例えば、フォアグランドで実行される場合に、ディスプレイ２Ａに表示される。制御プログラムには、例えば、ＯＳが含まれる。アプリケーション及び基本プログラムは、通信ユニット６による無線通信又は非一過的な記憶媒体を介してストレージ９にインストールされてもよい。
【００２４】
ストレージ９は、制御プログラム９Ａ、カメラアプリケーション９Ｂ、電話アプリケーション９Ｃ、及び設定データ９Ｚなどを記憶できる。
【００２５】
制御プログラム９Ａは、気圧センサ１７により測定された気圧の値が条件を満足すると、自機が水に浸かったと推定する機能を提供できる。制御プログラム９Ａは、タッチスクリーン２Ｂの検出結果に基づいて、水に浸かっていた自機が水から出たかを推定する機能を提供できる。制御プログラム９Ａは、タッチスクリーン２Ｂの検出結果に基づいて、水に浸かっていた自機が水から出たかを周期的に推定する機能を提供できる。制御プログラム９Ａは、タッチスクリーン２Ｂの複数の検出点及び当該複数の検出点における出力値に基づいて、水に浸かっていた自機が水から出たかを推定する機能を提供できる。
【００２６】
カメラアプリケーション９Ｂは、静止画像及び動画像の撮影、編集並びに管理などを行うための機能を提供できる。電話アプリケーション９Ｃは、無線通信による通話のための通話機能を提供できる。
【００２７】
設定データ９Ｚは、制御プログラム９Ａおよびカメラアプリケーション９Ｂなどにより提供される機能に基づいて実行される処理に用いられる各種データを含んで構成される。設定データ９Ｚは、自機が水に浸かったと推定するための気圧の変化に関するデータを含む。設定データ９Ｚは、水に浸かっていた自機が水から出たかを推定するための静電容量の変化に関するデータを含む。
【００２８】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。コントローラ１０は、スマートフォン１の動作を統括的に制御して各種の機能を実現する。コントローラ１０は、制御部の一例である。
【００２９】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２Ａ、通信ユニット６、マイク８、及びスピーカ１１の少なくとも１つを含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６及び気圧センサ１７の少なくとも１つを含むが、これらに限定されない。
【００３０】
コントローラ１０は、制御プログラム９Ａを実行することにより、自機が水に浸かったと推定する処理を実現する。コントローラ１０は、気圧センサ１７により測定された気圧の値が条件を満足すると、自機が水に浸かったと推定する。図２は、気圧センサにより測定される気圧変化の例を示す図である。図２に示すように、気圧センサ１７により測定される気圧の値は、自機が水に浸かった際に、およそ数秒で１０ヘクトパスカル以上の急激な上昇を示す。例えば、自機が水に浸かったときの単位時間あたりの気圧変化（傾き）を予め定義しておくことより、コントローラ１０は、自機が水に浸かったかを判定可能である。すなわち、コントローラ１０は、予め定義しておいた気圧変化と、気圧センサ１７により測定される気圧の値から算出した気圧変化と照らし合わせて、自機が着水したものと推定できる。コントローラ１０は、例えば、予め定義した気圧変化と気圧センサ１７の測定値から算出した気圧変化が所定の確度をもって一致する場合には、自機が着水したものと推定してもよい。
【００３１】
コントローラ１０は、タッチスクリーン２Ｂの検出結果に基づいて、水に浸かっていた自機が水から出たかを推定する処理を実現する。図３は、タッチスクリーンにより測定される静電容量の例を示す図である。図４及び図５は、タッチスクリーンにより測定される静電容量の他の例を示す図である。図３は、自機が水に浸かった場合の静電容量に対応する。図４は、自機が水から出た場合の静電容量に対応する。図５は、タッチスクリーン２Ｂに対して指で触れたときの静電容量に対応する。図３に示すように、自機が水に浸かった場合、タッチスクリーン２Ｂにより測定される静電容量は、ある正の値近傍で均一となる分布を示す。一方、図４に示すように、自機が水から出た場合、すなわち、自機が離水して気中にある場合、タッチスクリーン２Ｂにより測定される静電容量の変化は、ある負の値近傍で均一となる分布を示す。図５に示すように、タッチスクリーン２Ｂに対して指で触れた場合、タッチスクリーン２Ｂにより測定される静電容量は、図３及び図４に示す例とは異なり、均一な分布とはならない。コントローラ１０は、タッチスクリーン２Ｂにより測定される静電容量が、図３に示す静電容量の例から、図４又は図５に示す静電容量の例への変化を示すかを判定することにより、自機の離水を推定できる。
【００３２】
コントローラ１０は、タッチスクリーン２Ｂの検出結果に基づいて、自機の離水を推定する処理を行う場合、タッチスクリーン２Ｂの各検出点における出力値に基づいて推定する処理を実行できる。コントローラ１０は、タッチスクリーン２Ｂの検出結果に基づいて、自機の離水を推定する処理を行う場合、当該処理を所定のタイミングで周期的に実行してもよい。
【００３３】
スピーカ１１は、音出力部を含む。スピーカ１１は、コントローラ１０から送信される音信号を音として出力する。スピーカ１１は、例えば、着信音及び音楽を出力してもよい。レシーバ７及びスピーカ１１の一方が、他方の機能を兼ねてもよい。
【００３４】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態でスマートフォン１に実装されてもよい。
【００３５】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３６】
加速度センサ１５は、スマートフォン１に作用する加速度の方向及び大きさを測定できる。方位センサ１６は、例えば、地磁気の向きを検出し、地磁気の向きに基づいて、スマートフォン１の向き（方位）を測定できる。
【００３７】
気圧センサ１７は、スマートフォン１に作用する気圧を測定できる。気圧センサ１７は、測定部の一例である。
【００３８】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信できる。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。バッテリなど、スマートフォン１の機能を維持するために当然に用いられる機能部、及びスマートフォン１の制御を実現するために当然に用いられる制御部は、スマートフォン１に実装される。
【００３９】
図６を参照しつつ、実施形態に係るスマートフォン１により実行される処理の流れを説明する。図６は、実施形態に係るスマートフォンの処理の流れを示すフローチャートである。図６に示す処理は、コントローラ１０が、ストレージ９に記憶されている制御プログラム９Ａを実行することにより実現される。図６に示す処理は、スマートフォン１の起動中、図６に示す処理を終了する操作が行われない限り、繰り返し実行される。
【００４０】
図６に示すように、コントローラ１０は、気圧センサ１７の測定結果を取得する（ステップＳ１０１）。
【００４１】
コントローラ１０は、気圧センサ１７の測定結果に基づいて、自機が水に浸かったかを判定する（ステップＳ１０２）。コントローラ１０は、判定の結果、自機が水に浸かっていない場合には（ステップＳ１０２，Ｎｏ）、上記ステップＳ１０１の処理手順に戻る。
【００４２】
一方、コントローラ１０は、判定の結果、自機が水に浸かった場合には（ステップＳ１０２，Ｙｅｓ）、タッチスクリーン２Ｂを起動する（ステップＳ１０３）。
【００４３】
コントローラ１０は、タッチスクリーン２Ｂの検出結果を取得する（ステップＳ１０４）。
【００４４】
コントローラ１０は、タッチスクリーンの検出結果に基づいて、自機が水から出たかを判定する（ステップＳ１０５）。
【００４５】
コントローラ１０は、判定の結果、自機が水から出ていない場合には（ステップＳ１０５，Ｎｏ）、ステップＳ１０４の処理手順に戻る。
【００４６】
一方、コントローラ１０は、判定の結果、自機が水から出た場合には（ステップＳ１０５，Ｙｅｓ）、処理を終了するかを判定する（ステップＳ１０６）。例えば、コントローラ１０は、コネクタ１４を介して充電が開始された場合など、自機が着水することが考えにくい状況が検出された場合には、図６に示す処理の終了を決定する。
【００４７】
コントローラ１０は、判定の結果、処理を終了しない場合には（ステップＳ１０６，Ｎｏ）、上記ステップＳ１０１の処理手順に戻る。
【００４８】
コントローラ１０は、判定の結果、処理を終了する場合には（ステップＳ１０６，Ｙｅｓ）、タッチスクリーン２Ｂの起動を終了し（ステップＳ１０７）、図６に示す処理を終了する。
【００４９】
図６に示す処理において、ステップＳ１０５の判定が、例えば、所定のタイミングにより、コントローラ１０によって繰り返し実行されてもよい。
【００５０】
上記実施形態において、スマートフォン１は、気圧変化に基づいて自機が水に浸かったと判定した場合には、タッチスクリーン２Ｂを起動し、タッチスクリーン２Ｂにより測定される静電容量の変化に基づいて、水に浸かった自機が水から出たかを推定する。実施形態によれば、気圧変化に基づいて自機が水に浸かったと判定した後に、タッチスクリーン２Ｂを利用する。スマートフォン１は、消費電力を抑えつつ、自機の着水の有無、及び自機の離水の有無を判定できる。
【００５１】
上記の実施形態で説明したとおり、スマートフォン１は、気圧変化に基づいて自機の着水を推定し、静電容量の変化に基づいて自機の離水を推定する。消費電力をより低減させることを考慮した場合、スマートフォン１は、使用電力の比較的多いタッチスクリーン２Ｂを使用せずに、使用電力の比較的少ない気圧センサ１７の測定結果のみに基づいて、自機の着水の有無及び自機の離水の有無の双方を推定する処理を実行してもよい。しかし、実施形態に係るスマートフォン１は、気圧センサ１７の測定結果、すなわち、気圧変化に基づいて自機の離水を推定する処理を実行しない。その理由について以下に説明する。図７及び図８は、スマートフォンの部分断面の概略図である。図９は、気圧センサにより測定される気圧変化の他の例を示す図である。
【００５２】
図７に示すように、スマートフォン１は、筐体１００を備える。筐体１００には、気圧センサ１７に対向する位置に通気孔２０が設けられる。通気孔２０の外側表面には、シート３０及び布製の保水シート４０によりからなる通気弁が設置される。スマートフォン１が水に浸かった際に、図８に示すように、保水シート４０の保水機能によって通気弁の外側に水滴が形成されたり、水膜が形成されたりする場合がある。通気孔２０の通気が不十分となり、気圧センサ１７は正確な気圧の測定を実施不能な状態となる場合がある。例えば、図９に示すように、スマートフォン１の着水と離水が繰り返されると、スマートフォン１が着水したときの気圧の値と、スマートフォン１が水揚げされたときの気圧の値と間の差が、次第に小さくなることからも明らかである。このようなことから、スマートフォン１の着水と離水が繰り返される場合、コントローラ１０が気圧変化に基づいて自機の離水を推定するのは難しい。上記の実施形態では、タッチスクリーン２Ｂにより測定される静電容量の変化に基づいて、スマートフォン１が自機の離水を判定することにより、気圧変化に基づいて自機の離水の有無を判定することによって生じる上記の問題点を解決している。通気孔２０は、穴部の一例である。保水シート４０は、布製の部材の一例である。
【００５３】
上記の実施形態において、スマートフォン１は、気圧変化に基づいて自機の着水の有無を推定し、静電容量の変化に基づいて自機の離水の有無を推定する。上記図９に示すように、スマートフォン１の着水と離水が短時間に繰り返されると、通気弁２０の外側に水滴等が形成される場合があるスマートフォン１は、通気弁２０の外側の水滴等によって自機の離水だけではなく、２回目以降の自機の着水についても推定が難しくなる。以下の実施形態では、スマートフォン１が、１回目の着水の推定を、気圧センサ１７により測定される気圧変化に基づいて実施し、２回目以降の着水の推定を、タッチスクリーン２Ｂにより測定される静電容量の変化に基づいて実施する例について説明する。これにより、スマートフォン１は、自機の着水の有無及び自機の離水の有無をより正確に判定することができる。
【００５４】
あるスマートフォン１は、以下に説明する点が上記の実施形態に係るスマートフォン１とは異なる。
【００５５】
制御プログラム９Ａは、タッチスクリーン２Ｂの検出結果に基づいて、水に浸かっていた自機が水から出たかを推定した後に、タッチスクリーン２Ｂの検出結果に基づいて、自機が再び水に浸かったかを推定する機能を提供する。
【００５６】
まず、コントローラ１０は、制御プログラム９Ａを実行することにより、タッチスクリーン２Ｂの検出結果に基づいて、水に浸かっていた自機が水から出たかを推定する。スマートフォン１が水から出たと推定した後に、コントローラ１０は、タッチスクリーン２Ｂの検出結果に基づいて、自機が再び水に浸かったかを推定する処理を実現する。すなわち、コントローラ１０は、気圧センサ１７により測定される気圧変化に基づいて１回目の自機の着水を推定する。続いて、コントローラ１０は、タッチスクリーン２Ｂにより測定される静電容量の変化に基づいて自機の離水を推定した後、自機の２回目以降の着水および離水については、タッチスクリーン２Ｂにより測定される静電容量の変化に基づく推定を実行する。
【００５７】
コントローラ１０は、タッチスクリーン２Ｂの検出結果に基づいて、自機の着水および離水を推定する処理を行う場合、タッチスクリーン２Ｂの検出点及び当該検出点における出力値に基づいて推定する処理を実行する。コントローラ１０は、タッチスクリーン２Ｂの検出結果に基づいて、自機の着水および離水を推定する処理を行う場合、当該処理を所定のタイミングで周期的に実行してもよい。
【００５８】
図１０を参照しつつ、実施形態に係るスマートフォン１により実行される処理の流れを説明する。図１０は、実施形態に係るスマートフォンの処理の流れを示すフローチャートである。図１０に示す処理は、コントローラ１０が、ストレージ９に記憶されている制御プログラム９Ａを実行することにより実現される。図１０に示す処理は、スマートフォン１の起動中、図１０に示す処理を終了する操作が行われない限り、繰り返し実行される。
【００５９】
図１０に示すように、コントローラ１０は、気圧センサ１７の測定結果を取得する（ステップＳ２０１）。
【００６０】
コントローラ１０は、気圧センサ１７の測定結果に基づいて、自機が水に浸かったかを判定する（ステップＳ２０２）。コントローラ１０は、判定の結果、自機が水に浸かっていない場合には（ステップＳ２０２，Ｎｏ）、上記ステップＳ２０１の処理手順に戻る。
【００６１】
一方、コントローラ１０は、判定の結果、自機が水に浸かった場合には（ステップＳ２０２，Ｙｅｓ）、タッチスクリーン２Ｂを起動する（ステップＳ２０３）。
【００６２】
コントローラ１０は、タッチスクリーン２Ｂの検出結果を取得する（ステップＳ２０４）。
【００６３】
コントローラ１０は、タッチスクリーン２Ｂの検出結果に基づいて、自機が水から出たかを判定する（ステップＳ２０５）。
【００６４】
コントローラ１０は、判定の結果、自機が水から出ていない場合には（ステップＳ２０５，Ｎｏ）、ステップＳ２０４の処理手順に戻る。
【００６５】
一方、コントローラ１０は、判定の結果、自機が水から出た場合には（ステップＳ２０５，Ｙｅｓ）、処理を終了するかを判定する（ステップＳ２０６）。例えば、コントローラ１０は、コネクタ１４を介して充電が開始された場合など、自機が着水することが考えにくい状況が検出された場合には、図１０に示す処理の終了を決定する。
【００６６】
コントローラ１０は、判定の結果、処理を終了する場合には（ステップＳ２０６，Ｙｅｓ）、タッチスクリーン２Ｂの起動を終了し（ステップＳ２０７）、図１０に示す処理を終了する。
【００６７】
一方、コントローラ１０は、判定の結果、処理を終了しない場合には（ステップＳ２０６，Ｎｏ）、タッチスクリーン２Ｂの検出結果を取得する（ステップＳ２０８）。
【００６８】
コントローラ１０は、タッチスクリーン２Ｂの検出結果に基づいて、自機が水に浸かったかを判定する（ステップＳ２０９）。
【００６９】
コントローラ１０は、判定の結果、自機が水に浸かっていない場合には（ステップＳ２０９，Ｎｏ）、上記ステップＳ２０８の処理手順に戻る。
【００７０】
一方、コントローラ１０は、判定の結果、自機が水に浸かった場合には（ステップＳ２０９，Ｙｅｓ）、上記ステップＳ２０４の処理手順に戻る。
【００７１】
図１０に示す処理において、ステップＳ２０５の判定が、例えば、所定のタイミングにより、コントローラ１０によって繰り返し実行されてもよい。図１０に示す処理において、ステップＳ２０９の判定が、例えば、所定のタイミングにより、コントローラ１０によって繰り返し実行されてもよい。
【００７２】
上記の実施形態で説明した処理は、スマートフォン１以外にも、水中で操作することが想定される他の電子機器についても同様に適用できる。
【００７３】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７４】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  カメラアプリケーション
９Ｃ  電話アプリケーション
９Ｚ  設定データ
１０  コントローラ
１１  スピーカ
１２  カメラ
１３  カメラ
１４  コネクタ
１５  加速度センサ
１６  方位センサ
１７  気圧センサ
【図１】
2016213763.tif 000003
【図２】
2016213763.tif 000004
【図６】
2016213763.tif 000005
【図７】
2016213763.tif 000006
【図８】
2016213763.tif 000007
【図９】
2016213763.tif 000008
【図１０】
2016213763.tif 000009
【図３】
2016213763.tif 000010
【図４】
2016213763.tif 000011
【図５】
2016213763.tif 000012